(57)【要約】【課題】第１及び第２のハウジングのＥＭＩ対策を行うことができるとともに、第１のハウジングに対して第２のハウジングを移動させることの可能なコネクタを提供する。【解決手段】ソケット１に対して移動可能に設けられ、ソケット１に嵌合可能なプラグ２と、プラグ２の移動に伴って弾性変形する複数のソケット端子３０と、ソケット１の幅方向の外周面を覆う第１のソケット側シールド部材４０と、プラグ２がソケット１に嵌合したときに各ソケット端子３０に接触する複数のプラグ端子８０と、プラグ２の幅方向の外周面を覆うプラグ側シールド部材９０と、各シールド部材４０，９０に接触し、プラグ２の移動に伴って弾性変形する第１及び第２のシールド導通部６４，６９とを備えたので、ソケット１に対してプラグ２を移動させることができる。また、ソケット１及びプラグ２のＥＭＩ対策を行うことができるので、電磁波による影響を確実に低減させることができる。【選択図】図１０
2008091299.tif 000002
【特許請求の範囲】
【請求項１】
一方の接続対象物側に配置される第１のハウジングと、
他方の接続対象物側に配置されるとともに第１のハウジングに対して移動可能に設けられ、第１のハウジングに嵌合可能に形成された第２のハウジングと、
第１のハウジングに保持され、第２のハウジングの移動に伴って弾性変形するように形成された複数の第１の端子と、
第１のハウジングの所定の外周面を覆うように設けられ、各第１の端子の配列方向に延びるように形成された第１のシールド部材と、
第２のハウジングに保持され、第２のハウジングが第１のハウジングに嵌合したときに各第１の端子にそれぞれ接触するように形成された複数の第２の端子と、
第２のハウジングの所定の外周面を覆うように設けられ、各第２の端子の配列方向に延びるように形成された第２のシールド部材と、
第２のハウジングが第１のハウジングに嵌合したときに第１及び第２のシールド部材に接触するとともに、第２のハウジングの移動に伴って弾性変形するように形成されたシールド導通部とを備えた
ことを特徴とするコネクタ。
【請求項２】
前記シールド導通部を各端子の配列方向の少なくとも一端側に配置した
ことを特徴とする請求項１記載のコネクタ。
【請求項３】
前記第１及び第２のハウジングの何れか一方に設けられるシールド用端子を備え、
第１のシールド部材に接触する第１のシールド導通部と、第２のシールド部材に接触する第２のシールド導通部とをシールド用端子に一体に設けた
ことを特徴とする請求項１または２記載のコネクタ。
【請求項４】
前記シールド用端子に外部のグランド部に接続可能なグランド接続部を設けた
ことを特徴とする請求項３記載のコネクタ。
【発明の詳細な説明】
【技術分野】
【０００１】
本発明は、プリント基板等に取り付けられ、複数の基板を電気的に接続するために用いられるコネクタに関するものである。
【背景技術】
【０００２】
従来、この種のコネクタとして、一方の接続対象物側に配置される第１のハウジングと、他方の接続対象物側に配置されるとともに、第１のハウジングに嵌合可能に形成された第２のハウジングと、第１のハウジングに保持される複数の第１の端子と、第１のハウジングに設けられるとともに、各第１の端子の配列方向に延びるように形成された第１のシールド部材と、第２のハウジングに保持され、第２のハウジングが第１のハウジングに嵌合したときに各第１の端子にそれぞれ接触するように形成された複数の第２の端子と、第２のハウジングに設けられ、各第２の端子の配列方向に延びるように形成された第２のシールド部材とを備えたものが知られている（例えば特許文献１参照）。
【０００３】
このコネクタでは、第１及び第２のハウジングそれぞれにシールド部材を設けることにより、各ハウジングのＥＭＩ（Ｅｌｅｃｔｒｏ  Ｍａｇｎｅｔｉｃ  Ｉｎｔｅｒｆｅｒｅｎｃｅ：電磁波障害）対策を行っている。
【特許文献１】特開２００２−２９８９８３号公報
【発明の開示】
【発明が解決しようとする課題】
【０００４】
しかしながら、このコネクタでは、第２のハウジングが第１のハウジングに嵌合したときに第２のシールド部材が第１のシールド部材の所定位置に係合するように形成されているので、第２のハウジングが第１のハウジングに嵌合した状態で第２のハウジングを移動させることができず、一方の接続対象物と他方の接続対象物との間に位置ずれが生じた場合には、その位置ずれを吸収することができないという問題点があった。
【０００５】
本発明は前記問題点に鑑みてなされたものであり、その目的とするところは、第１及び第２のハウジングのＥＭＩ対策を行うことができるとともに、第１のハウジングに対して第２のハウジングを移動させることの可能なコネクタを提供することにある。
【課題を解決するための手段】
【０００６】
本発明は、前記目的を達成するために、一方の接続対象物側に配置される第１のハウジングと、他方の接続対象物側に配置されるとともに第１のハウジングに対して移動可能に設けられ、第１のハウジングに嵌合可能に形成された第２のハウジングと、第１のハウジングに保持され、第２のハウジングの移動に伴って弾性変形するように形成された複数の第１の端子と、第１のハウジングの所定の外周面を覆うように設けられ、各第１の端子の配列方向に延びるように形成された第１のシールド部材と、第２のハウジングに保持され、第２のハウジングが第１のハウジングに嵌合したときに各第１の端子にそれぞれ接触するように形成された複数の第２の端子と、第２のハウジングの所定の外周面を覆うように設けられ、各第２の端子の配列方向に延びるように形成された第２のシールド部材と、第２のハウジングが第１のハウジングに嵌合したときに第１及び第２のシールド部材に接触するとともに、第２のハウジングの移動に伴って弾性変形するように形成されたシールド導通部とを備えている。
【０００７】
これにより、第１のハウジングの所定の外周面が第１のシールド部材で覆われるとともに、第２のハウジングの所定の外周面が第２のシールド部材で覆われることからＥＭＩ対策を行うことが可能となる。また、第１の端子が第２の端子に接触しながら弾性変形するとともに、シールド導通部が第１及び第２のシールド部材に接触しながら弾性変形することから、第２のハウジングの移動が許容される。
【発明の効果】
【０００８】
本発明によれば、第１のハウジングに対する第２のハウジングの移動を行うことができるので、一方の接続対象物と他方の接続対象物との間に位置ずれが生じた場合には、その位置ずれを吸収することができ、接続信頼性を向上させることができる。また、第１及び第２のハウジングのＥＭＩ対策を行うことができるので、電磁波による影響を確実に低減させることができる。
【発明を実施するための最良の形態】
【０００９】
図１乃至図１０は本発明の一実施形態を示すもので、図１はソケットの斜視図、図２はソケットの平面図、図３はソケット端子の側面図、図４はシールド用端子の斜視図、図５はソケットの側面断面図、図６はプラグの斜視図、図７はプラグの平面図、図８はプラグの側面断面図、図９及び図１０はソケットとプラグの嵌合時の動作を示す側面断面図である。
【００１０】
このコネクタは、一方の接続対象物としての第１の基板１００側に配置される第１のハウジングとしてのソケット１と、他方の接続対象物としての第２の基板２００側に配置されるとともにソケット１に対して移動可能に設けられ、ソケット１に嵌合可能に形成された第２のハウジングとしてのプラグ２とからなり、各基板１００，２００間を電気的に接続させるために用いられるものである。
【００１１】
ソケット１は、図１及び図２に示すように、第１の基板１００側に配置されるソケット側固定ハウジング１０と、ソケット側固定ハウジング１０に対して幅方向（図中Ｘ方向）及び前後方向（図中Ｙ方向）に移動可能に設けられた可動ハウジング２０と、一端側がソケット側固定ハウジング１０に保持されるとともに他端側が可動ハウジング２０に保持され、ソケット側固定ハウジング１０に対する可動ハウジング２０の移動に伴って弾性変形するように形成された第１の端子としての複数のソケット端子３０と、ソケット側固定ハウジング１０の幅方向の外周面をそれぞれ覆うように設けられた第１のシールド部材としての一対の第１のソケット側シールド部材４０と、ソケット側固定ハウジング１０の前後方向の外周面を覆うように設けられた一対の第２のソケット側シールド部材５０と、ソケット側固定ハウジング１０の幅方向の外周面に設けられた一対のシールド用端子６０とを備えている。
【００１２】
ソケット側固定ハウジング１０は合成樹脂の成形品からなり、上面及び下面が開口した角筒形状をなしている。即ち、ソケット側固定ハウジング１０は、前面部１１、背面部１２、幅方向両側面部１３からなり、前面部１１及び背面部１２の下端側には、各ソケット端子３０の一端側を保持する複数の端子孔１４が互いに等間隔で設けられている。また、各端子孔１４の配列方向（図中Ｘ方向）両端側には、各シールド用端子をそれぞれ保持する一対のシールド用端子孔１５が設けられており、前面部１１及び背面部１２の幅方向両端側には、各第１のソケット側シールド部材４０を上方から取付けるための取付溝１６が形成されている。
【００１３】
可動ハウジング２０は合成樹脂の成形品からなり、上面が開口した箱型形状をなしている。即ち、可動ハウジング２０は、前面部２１、背面部２２、幅方向両側面部２３及び底面部２４からなり、底面部２４の中央には、上方に突出するように形成された嵌合部２５が設けられている。また、嵌合部２５の前面側及び後面側の側壁部には、各ソケット端子３０の他端側を保持する複数の端子孔２６が底面部２４を上下方向（図中Ｚ方向）に貫通するように形成されている。さらに、底面部２４の前後方向両端側には、各シールド用端子６０の他端側を上下方向に挿通可能に形成された一対の挿通孔２７が各ソケット端子３０の配列方向両端側にそれぞれ位置するように設けられている。
【００１４】
各ソケット端子３０は弾性変形可能な導電性の金属板からなり、ソケット１の前後方向両側においてそれぞれ一列ずつ配列されている。ソケット端子３０は、図３に示すように、第１の基板１００に接続される接続部３１が前後方向に延びるように形成されている。また、ソケット端子３０には、接続部３１の後端から上方に向かって延びる第１の真直部３２と、第１の真直部３２の上端から下方に屈曲する屈曲部３３と、屈曲部３３から斜め下方に延びる第２の真直部３４と、第２の真直部３４の下端から後方に向かって延びる第３の真直部３５と、第３の真直部３５の後端から上方に向かって延びる第４の真直部３６と、第４の真直部３６から前方に向かって屈曲しながら上方に延びる接触部３７とが設けられており、ソケット端子３０は、屈曲部３３を基点として幅方向及び前後方向に弾性変形するようになっている。
【００１５】
各第１のソケット側シールド部材４０は、ソケット側固定ハウジング１０の幅方向に延びる導電性の金属板からなり、その幅方向両端側がソケット側固定ハウジング１０の各取付溝１６に上方から圧入されることにより、ソケット側固定ハウジング１０の幅方向の外周面を覆うように取付けられている。また、各第１のソケット側シールド部材４０は、その上端側がソケット側固定ハウジング１０の前面部１１または背面部１２の上面を覆うとともに可動ハウジング２０の前面部２１または背面部２２まで延びるように略Ｌ字状に形成されている。
【００１６】
各第２のソケット側シールド部材５０は、第１のソケット側シールド部材４０と同様に導電性の金属板からなり、ソケット側固定ハウジング１０の前後方向の外周面を覆うように形成されている。また、第２のソケット側シールド部材５０の前後方向両端側は、それぞれ幅方向に屈曲して第１のソケット側シールド部材４０に接触するようになっている。
【００１７】
各シールド用端子６０は弾性変形可能な導電性の金属板からなり、図４に示すように、第１の基板１００に設けられたグランド部（図示省略）に接続可能なグランド接続部６１が前後方向に延びるように形成されている。また、各シールド端子６０には、グランド接続部６１の後端から上方に向かって延びる第１の真直部６２が設けられており、第１の真直部６２の幅方向両端側には、第１の真直部６２から前方に延びる第２の真直部６３がそれぞれ設けられている。さらに、各第２の真直部６３の前端には、第１のソケット側シールド部材４０に接触する第１のシールド導通部６４が一体に設けられている。さらにまた、各シールド用端子６０には、第１の真直部６２の上端から下方に屈曲する第１の屈曲部６５と、第１の屈曲部６５から斜め下方に延びる第３の真直部６６と、第３の真直部６６の下端から上方に屈曲する第２の屈曲部６７と、第２の屈曲部６７から斜め上方に延びる第４の真直部６８とが設けられており、各シールド用端子６０は、第１及び第２の屈曲部６５，６７を基点として幅方向及び前後方向に弾性変形するようになっている。また、第４の真直部６８の上端には、後述のプラグ側シールド部材９０に接触する第２のシールド導通部６９が一体に設けられている。
【００１８】
ここで、各ソケット端子３０をソケット側固定ハウジング１０に取り付ける場合には、端子孔１４にソケット端子３０を下方から圧入する。このとき、図５に示すように、ソケット端子３０の一端側、即ち接続部３１の上端側が端子孔１４に保持される。また、各ソケット端子３０の他端側に対して可動ハウジング２０を上方から圧入すると、ソケット端子３０の第４の真直部３６及び接触部３７が可動ハウジング２０の底面部２４を貫通して端子孔２６に保持される。
【００１９】
また、シールド用端子６０をソケット１に取り付ける場合には、シールド用端子孔１５にシールド用端子６０を下方から圧入する。このとき、グランド接続部６１の上端側及び各第２の真直部６３の上端側がシールド用端子孔１５に保持される。また、シールド用端子６０は、第４の真直部６８及び第２のシールド導通部６９が可動ハウジング２０の挿通孔２７を上方に貫通した状態で保持されている。この場合、ソケット側固定ハウジング１０の幅方向及び前後方向の外周面は各シールド部材４０，５０によって覆われていることから、各ソケット端子３０に対する外部からの電磁波の影響を低減させることが可能となる。また、シールド用端子６０の第１及び第２のシールド導通部６４，６９は各ソケット端子３０の配列方向両端側に配置されており、ソケット端子３０の弾性変形がシールド接触部６４，６９によって妨げられることを確実に防止することができるようになっている。
【００２０】
次に、プラグ２の構成について説明する。プラグ２には、図６及び図７に示すように、第２の基板２００側に配置される第２のハウジングとしてのプラグ側固定ハウジング７０と、プラグ側固定ハウジング７０に保持されるように形成された第２の端子としての複数のプラグ端子８０と、プラグ側固定ハウジング７０の幅方向の外周面を覆うように設けられた第２のシールド部材としての一対のプラグ側シールド部材９０とが設けられている。
【００２１】
プラグ側固定ハウジング７０は合成樹脂の成形品からなり、上面が開口した箱型形状をなしている。即ち、プラグ側固定ハウジング７０は、前面部７１、背面部７２、幅方向両側面部７３及び底面部７４からなり、ソケット１のソケット側固定ハウジング１０に対して移動可能に設けられるとともに、可動ハウジング２０に嵌合可能に形成されている。また、プラグ側固定ハウジング７０の前面部７１及び背面部７２それぞれの下端側及び内壁部には、各プラグ端子８０を保持する複数の端子孔７５が互いに等間隔で設けられている。また、前面部７１及び背面部７２それぞれの上端側には、プラグ側シールド部材９０を取付けるための取付溝７６が形成されている。
【００２２】
各プラグ端子８０は導電性の金属板からなり、プラグ２の前後方向両側にそれぞれ一列ずつ配列されている。プラグ端子８０は、図８に示すように第２の基板２００に接続される接続部８１が前後方向に延びるように形成されており、接続部８１の一端側には上方に延びる接触部８２が設けられている。
【００２３】
各プラグ側シールド部材９０は、プラグ側固定ハウジング７０の幅方向に延びる導電性の金属板からなり、その上端がプラグ側固定ハウジング７０の取付溝７６に下方から圧入されることにより、プラグ側固定ハウジング７０の幅方向の外周面を覆うように取付けられている。また、各プラグ側シールド部材９０の幅方向両端側の下端には、第２の基板２００に設けられたグランド部（図示省略）に接続可能なグランド接続部９１が前後方向に延びるように形成されている。
【００２４】
ここで、各プラグ端子８０をプラグ側固定ハウジング７０に取り付ける場合には、端子孔７５にプラグ端子８０を下方から圧入する。このとき、図８に示すように、プラグ端子８０の接続部８１及び接触部８２がプラグ側固定ハウジング７０の端子孔７５に保持される。この場合、プラグ側固定ハウジング７０の幅方向、即ち前面部７１及び背面部７２の外周面はプラグ側シールド部材９０によって覆われていることから、各プラグ端子８０に対する外部からの電磁波の影響を低減させることが可能となる。
【００２５】
以上のように構成されたコネクタは、一対の基板１００，２００を電気的に接続するために用いられる。図９に示すように、第１の基板１００に接続されたソケット１の上方に第２の基板２００に接続されたプラグ２が配置されている場合に、プラグ２を下方に移動させてプラグ側固定ハウジング７０をソケット１の可動ハウジングの嵌合部２５に嵌合させると、各プラグ端子８０の接触部８２が各ソケット端子３０の接触部３７にそれぞれ接触する。この場合、図１０に示すようにシールド用端子６０の第１のシールド導通部６４が第１のソケット側シールド部材４０に接触するとともに、第２のシールド導通部６９がプラグ側シールド部材９０に接触する。ここで、ソケット側固定ハウジング１０及びプラグ側固定ハウジング７０の一方が他方に対して幅方向及び前後方向に移動すると、ソケット端子３０及びシールド用端子６０が前記移動に伴って弾性変形し、各固定ハウジング１０，７０の相対的な位置ずれが吸収される。
【００２６】
このように、本実施形態のコネクタによれば、第１の基板１００側に配置されるソケット１と、第２の基板２００側に配置されるとともにソケット１に対して移動可能に設けられ、ソケット１に嵌合可能に形成されたプラグ２と、ソケット１に保持され、プラグ２の移動に伴って弾性変形するように形成された複数のソケット端子３０と、ソケット１の幅方向の外周面を覆うように設けられ、各ソケット端子３０の配列方向に延びるように形成された一対の第１のソケット側シールド部材４０と、プラグ２に保持され、プラグ２がソケット１に嵌合したときに各ソケット端子３０にそれぞれ接触するように形成された複数のプラグ端子８０と、プラグ２の幅方向の外周面を覆うように設けられ、各プラグ端子８０の配列方向に延びるように形成されたプラグ側シールド部材９０と、プラグ２がソケット１に嵌合したときに各シールド部材４０，９０に接触するとともに、プラグ２の移動に伴って弾性変形するように形成された第１及び第２のシールド導通部６４，６９とを備えたので、ソケット１に対するプラグ２の移動を行うことができる。従って、第１の基板１００と第２の基板２００との間に位置ずれが生じた場合には、その位置ずれを吸収することができ、接続信頼性を向上させることができる。また、ソケット１及びプラグ２のＥＭＩ対策を行うことができるので、電磁波による影響を確実に低減させることができる。
【００２７】
また、シールド接触部６４，６９を各端子３０，８０の配列方向の少なくとも一端側に配置したので、プラグ２の移動に伴うソケット端子３０の弾性変形がシールド接触部６４，６９によって妨げられることを確実に防止することができ、可動性をより向上させることができる。
【００２８】
さらに、ソケット１にシールド用端子６０を備え、第１のソケット側シールド部材４０に接触する第１のシールド導通部６４と、プラグ側シールド部材９０に接触する第２のシールド導通部６９をシールド用端子６０に一体に設けたので、部品点数を少なくすることができ、製造コストの面において有益である。
【００２９】
また、シールド用端子６０に第１の基板１００のグランド部に接続可能なグランド接続部６１を設けたので、グランド部に接続するための部材を第１のソケット側シールド部材４０に設ける必要がないことから、第１のソケット側シールド部材４０の設計自由度を向上させることができる。
【００３０】
なお、上記実施形態は本発明の一具体例に過ぎず本発明が上記実施形態のみに限定されることはない。例えば、前記実施形態では、シールド用端子６０をソケット１に設けたものを示したが、プラグ２に設けるようにしてもよい。
【図面の簡単な説明】
【００３１】
【図１】本発明の一実施形態におけるソケットの斜視図
【図２】ソケットの平面図
【図３】ソケット端子の側面図
【図４】シールド用端子の斜視図
【図５】ソケットの側面断面図
【図６】本発明の一実施形態におけるプラグの斜視図
【図７】プラグの平面図
【図８】プラグの側面断面図
【図９】ソケットとプラグの嵌合時の動作を示す側面断面図
【図１０】ソケットとプラグの嵌合時の動作を示す側面断面図
【符号の説明】
【００３２】
１…ソケット、２…プラグ、３０…複数のソケット端子、４０…一対の第１のソケット側シールド部材、６０…シールド用端子、６１…グランド接続部、６４…第１のシールド導通部、６９…第２のシールド導通部、８０…複数のプラグ端子、９０…プラグ側シールド部材、１００…第１の基板、２００…第２の基板。
【図１】
2008091299.tif 000003
【図２】
2008091299.tif 000004
【図３】
2008091299.tif 000005
【図４】
2008091299.tif 000006
【図５】
2008091299.tif 000007
【図６】
2008091299.tif 000008
【図７】
2008091299.tif 000009
【図８】
2008091299.tif 000010
【図９】
2008091299.tif 000011
【図１０】
2008091299.tif 000012